【事件の表示】
　平成１１年特許願第　８９７７２号「スプリンクラヘッド」拒絶査定不服審判事件〔平成１２年１０月１０日出願公開、特開２０００−２７９５４９〕について、次のとおり審決する。
【結　論】
　本件審判の請求は、成り立たない。
【理　由】
１．手続の経緯・本願発明
　本願は、平成１１年３月３０日の出願であって、その請求項１から３に係る発明は、平成２１年１月１９日付け手続補正書により補正された明細書の特許請求の範囲の請求項１から３に記載されたとおりのものであって、請求項１に記載された発明は次のとおりのものであると認める。（以下「本願発明１」という。）
　
「【請求項１】デフレクタを、フレームを介して支持する本体と、該本体の放水口を塞ぐ弁体と、該本体とデフレクタとの間に配設された感熱開弁手段と、前記デフレクタの底面の中心に設けられ、該感熱開弁部材の押圧力を調整する調整ねじと、を備えたスプリンクラヘッドにおいて；
　前記デフレクタは、スリットや散水孔がなく、底面が平坦に形成され、　
　前記デフレクタの底面に、幅が前記フレームの幅よりも大きく、長さが前記デフレクタの半径とほぼ同じ長さの検定シールを貼り付ける貼付部と、スプリンクラヘッドの種類、製造に関する事項を示す表示部と、を設け、
　前記表示部と前記貼付部とは、前記デフレクタの調整ねじを挟んで対向する位置に設けられ、
　該貼付部が前記デフレクタ上に十分とれるように、前記調整ねじを中心として、前記デフレクタの外周に沿うように前記表示部に、動作温度、防護面積、種別、製造者名を２列にわたって刻印し、
　前記調整ねじを避けた平坦な位置に形成した貼付部に、前記検定シールを貼り付けたことを特徴とするスプリンクラヘッド。」
　
２．引用文献の記載事項
（１）当審の拒絶の理由に引用された本願出願前に頒布された、実願昭６０−０３４７４１号（実開昭６１−１５１７５０号）のマイクロフィルム（以下、「引用例１」という）には、以下の事項が記載されている。
ａ：「略中央部に弁体を横方に投げ飛ばすことができる突出部が設置された線状バネの一部をスプリンクラーヘッドの弁座と弁体間で形成される溝に嵌合するとともに、線状バネの両端を本体のフレームに係止させたことを特徴とするスプリンクラーヘツドのロッヂメント防止機構。」（実用新案登録請求の範囲）
　　
ｂ：「スプリンクラーヘッドのフレーム（１０）は内側にノズル（１１）、外側に図示しない配管に取付けるためのネジ（１２）がある。ノズル（１１）の先端は弁座（１３）を形成しており、該弁座は後述弁体との気密性を良好にするためテーパーが付されている。フレーム（１０）の下端からは下方に一対のアーム（１４）、（１４）が伸びていて、これらアームの支点はボス（１５）となっている。ボス（１５）には頂部に窪みを有する止めネジ（１６）が螺合されており、該窪みには感熱分解部をピボット保持するためのボールが載置されている。ボス（１５）の下端には複数の羽根を有するデフレクター（１７）が設置されている。前述弁座（１３）には弁体（３０）がパッキンを介して設置されているが、弁座は内方にテーパーが付されているため弁座（１３）と弁体（３０）間には溝（３１）が形成されることになる。弁体（３０）の下面と止めネジ（１６）の間には感熱分解部（２０）が配置されている。」（４頁６行〜５頁４行、第１図〜第６図）
　　　　
　上記の各記載及び図面の記載を参照すると、引用例１には、
デフレクター（１７）をアーム（１４）を介して支持するフレーム（１０）と、該フレーム（１０）のノズルの放水口を塞ぐ弁体（３０）と、該フレーム（１０）とデフレクター（１７）との間に配設された感熱分解部（２０）と、前記デフレクター（１７）の底面の中心に設けられる止めネジ（１６）とを備えたスプリンクラーヘッド、が記載されている。
　　
（２）当審の拒絶の理由に引用された本願出願前に頒布された、実願平０３−０６７２２３号（実開平０５−０１１９５６号）のＣＤ−ＲＯＭ（以下、「引用例２」という）には、以下の事項が記載されている。
　
ｃ：「【従来の技術】一般家庭，自動車，ビル等に設置される消火器は、図４に示すように消火剤を充填した容器１の上部開口に、弁機構等を内蔵した蓋体２を被着し、使用時には起動レバー３を押し下げると、容器１内の消火剤が圧力ガスによりホース４内に押し出され、ノズル５から噴出するように作用する。なお、６は容器１の外周面に貼着される銘板で、義務付けられた使用法，適応火災，放射時間，放射距離等が印刷表示されている。」（段落【０００２】）
　
（３）当審の拒絶の理由に引用された本願出願前に頒布された、特開平１０−０９９４６６号公報（以下、「引用例３」という）には、以下の事項が記載されている。
　
ｄ：更にスプリンクラーヘッドには型式名、動作温度等が明記されているので、当該保護キャップ７被着時であっても、これら事項を容易に識別できる。（段落【００１３】）
　
３．対比
　引用例１の「デフレクター」は本願発明１の「デフレクタ」に相当し、引用例１の「アーム」は本願発明１における「フレーム」に相当し、引用文献１の「フレーム」は本願発明１における「本体」に相当し、引用例１の「感熱分解部」は本願発明１の「感熱開弁手段」に相当し、引用例１の「止めネジ」は本願発明１の「調整ねじ」に相当するものと認められる。
　　
　これらの点を考慮して、本願発明１と引用例１に記載されたものとを対比すると、
両者は、
「デフレクタを、フレームを介して支持する本体と、該本体の放水口を塞ぐ弁体と、該本体とデフレクタとの間に配設された感熱開弁手段と、前記デフレクタの底面の中心に設けられるねじとを備えたスプリンクラヘッド」
である点で一致し、下記の点で相違している。
　　
相違点１：本願発明１の調整ねじは感熱開弁部材の押圧力を調整するものであるのに対し、引用例１に記載された止めネジはその機能が記載されていない点。
　　
相違点２：本願発明１では、デフレクタは、スリットや散水孔がなく、底面が平坦に形成され、デフレクタの底面に、幅が前記フレームの幅よりも大きく、長さがデフレクタの半径とほぼ同じ長さの検定シールを貼り付ける貼付部と、スプリンクラヘッドの種類、製造に関する事項を示す表示部と、を設け、表示部と貼付部とは、デフレクタの調整ねじを挟んで対向する位置に設けられ、貼付部がデフレクタ上に十分とれるように、調整ねじを中心として、デフレクタの外周に沿うように表示部に、動作温度、防護面積、種別、製造者名を２列にわたって刻印し、調整ねじを避けた平坦な位置に形成した貼付部に、検定シールを貼り付けているのに対し、引用文献１に記載された発明では、そのようなことに関する記載がない点。
　
４．当審の判断
（１）相違点１について
　引用例１の止めネジも感熱分解部（感熱開弁部材）をピボット保持するものであるから、それに対する押圧力を調整できることはネジが有する当然の機能を記載したものにすぎず、当業者が容易になし得ることにすぎない。
　　
（２）相違点２について
　本願発明１では、デフレクタは、スリットや散水孔がなく、底面が平坦に形成されているが、デフレクタの底面を平坦に形成することは周知の事項であるし（例えば、当審において通知した拒絶理由に示した引用文献である、特開昭５２−１０９７９８号公報、上記引用例１，特開平８−９８８９９号公報など。）、スリットや散水孔を設けないことも当業者が適宜容易になし得る設計事項にすぎない。
　また、本願発明１では、デフレクタの底面に、幅が前記フレームの幅よりも大きく、長さがデフレクタの半径とほぼ同じ長さの検定シールを貼り付ける貼付部と、スプリンクラヘッドの種類、製造に関する事項を示す表示部と、を設けている。
　しかし、消防用の器具においては、引用例２あるいは３に記載されているように、その使用法や機能について表示することが必要であり、そのために検定シールを貼付したり、表示する場所を設けることは当業者が当然考慮すべきことであり、その際シールの貼付や表示する場所を使用者から見て見やすい位置であるデフレクタの底面とすることは当業者が容易になし得ることである。そして、幅が前記フレームの幅よりも大きく、長さがデフレクタの半径とほぼ同じ長さであるという大きさの限定やスプリンクラヘッドの種類、製造に関する事項という表示する事項の選定は当業者が必要に応じて容易に定め得る事項にすぎない。
　さらに、本願発明１では、表示部と貼付部とは、デフレクタの調整ねじを挟んで対向する位置に設けられ、貼付部がデフレクタ上に十分とれるように、調整ねじを中心として、デフレクタの外周に沿うように表示部に、動作温度、防護面積、種別、製造者名を２列にわたって刻印し、調整ねじを避けた平坦な位置に形成した貼付部に、検定シールを貼り付けている。
　しかし、検定シールを貼付したり、表示する場所としてねじの存在する箇所を避けるのは当然であるし、また、両者をデフレクタの調整ねじを挟んで対向する位置に設けたり、選定した表示事項の表示を２列に刻印したり、平坦な位置に形成した貼付部に、検定シールを貼り付けるようなことは当業者が適宜容易に定め得る事項にすぎない。
　よって、相違点２に係るような限定をすることに何ら困難性は認められず、当業者が容易になし得ることにすぎない。
　
５．むすび
　したがって、本願発明１は、引用例１〜３に記載された発明及び周知技術に基づいて当業者が容易に発明をすることができたものであるので、他の請求項について検討するまでもなく、特許法第２９条第２項の規定により特許を受けることができない。
　よって、結論のとおり審決する。